(57)【要約】【課題】制御盤の開閉扉の密閉性を長期にわたって十分に確保することができる扉構造を備えた蓄電型電動弁用制御盤を提供する。【解決手段】給水源から使用先へ水を供給する配管に設けられている電動弁を開閉制御する制御器と、太陽電池で発電した電気を制御器及び電動弁の駆動用電力として蓄える蓄電池とを収納した蓄電型電動弁用制御盤の開口部を開閉する開閉扉の構造であって、開口部の一側部に設けたヒンジによって開閉扉を開閉可能に支持し、開閉扉の戸先側及び吊り元側のそれぞれに、閉じ状態の開閉扉を開口外周部との間に配置したパッキンを圧縮する方向に引き寄せる機能を備えた施錠装置を設けるとともに、ヒンジのヒンジ軸挿通孔を施錠装置の引き寄せ方向に長い形状に形成し、開閉扉全体でパッキンを均一に圧縮できるようにする。【選択図】図１
2013206938.tif 000002
【特許請求の範囲】
【請求項１】
給水源から使用先へ水を供給する配管に設けられている電動弁を開閉制御する制御器と、太陽電池で発電した電気を前記制御器及び前記電動弁の駆動用電力として蓄える蓄電池とを収納した蓄電型電動弁用制御盤の開口部を開閉する開閉扉の構造において、前記開口部の一側部に設けたヒンジによって前記開閉扉を開閉可能に支持し、該開閉扉の戸先側及び吊り元側のそれぞれに、閉じ状態の開閉扉を開口外周部との間に配置したパッキンを圧縮する方向に引き寄せる機能を備えた施錠装置を設けるとともに、前記ヒンジのヒンジ軸挿通孔を前記施錠装置の引き寄せ方向に長い形状に形成したことを特徴とする蓄電型電動弁用制御盤の扉構造。
【請求項２】
前記ヒンジは、前記開口部の端部に固着された固定側筒体と、前記開閉扉の端部に固着された回動側筒体と、前記固定側筒体及び前記回動側筒体にそれぞれ設けられたヒンジ軸挿通孔に挿通されるヒンジ軸とで形成され、前記固定側筒体に設けられたヒンジ軸挿通孔と前記回動側筒体に設けられたヒンジ軸挿通孔との少なくともいずれか一方のヒンジ軸挿通孔が前記施錠装置の引き寄せ方向に長い形状に形成されていることを特徴とする請求項１記載の蓄電型電動弁用制御盤の扉構造。
【請求項３】
前記回動側筒体に設けられたヒンジ軸挿通孔が前記施錠装置の引き寄せ方向に長い形状に形成されていることを特徴とする請求項２記載の蓄電型電動弁用制御盤の扉構造。
【請求項４】
前記蓄電型電動弁用制御盤は、内部の水蒸気を外部に排出し、外部から内部への水蒸気の移動を抑える結露防止器を備えていることを特徴とする請求項１乃至３のいずれ１項記載の蓄電型電動弁用制御盤の扉構造。
【発明の詳細な説明】
【技術分野】
【０００１】
本発明は、蓄電型電動弁用制御盤の扉構造に関し、詳しくは、給水源からの水を使用先に供給する管路に設けられている電動弁を蓄電池からの電力によって開閉制御する制御器を収納した制御盤の扉構造に関する。
【背景技術】
【０００２】
給水タンクなどの給水源から使用先に給水するための自動給水装置として、太陽電池（ソーラーパネル）で発電した電力を蓄えた蓄電池を弁の開閉を含む各種制御を行う制御器の電源としたものが用いられている（例えば、特許文献１参照。）。このような自動給水装置を屋外に設置する場合、前述の制御器や蓄電池は、密閉可能な箱体からなる制御盤内に収納している。
【先行技術文献】
【特許文献】
【０００３】
【特許文献１】特開平１０−２２５２４１号公報
【発明の概要】
【発明が解決しようとする課題】
【０００４】
前記制御盤には、収納した制御器の操作や点検などを行うための開閉扉が設けられており、内部への雨水の浸入などを防止するため、開閉扉の周囲にはパッキンが設けられ、開閉扉を閉じた際に、引き寄せ機能を有する施錠装置によって開閉扉の扉体を本体側に引き寄せてパッキンを圧縮することにより密閉性を高めることが行われている。
【０００５】
しかし、一般的な開閉扉は、扉体の一側に設けたヒンジによって開閉する構造を有しているため、ヒンジ側（吊り元側）に位置するパッキンを十分に圧縮することができなかった。また、圧縮できたとしても、開閉扉を閉じるときに斜めに圧縮される状態となり、均一にシールすることができなかったり、一部に捩れなどが発生してパッキンが変形してしまったりすることがあった。このため、パッキンが正常に機能せず、開閉扉の密閉性が低下して制御盤の内部に雨水や湿気（水蒸気）が侵入し、制御器や蓄電池に悪影響を与えることがある。
【０００６】
そこで本発明は、制御盤の開閉扉の密閉性を長期にわたって十分に確保することができる扉構造を備えた蓄電型電動弁用制御盤を提供することを目的としている。
【課題を解決するための手段】
【０００７】
上記目的を達成するため、本発明の蓄電型電動弁用制御盤の扉構造は、給水源から使用先へ水を供給する配管に設けられている電動弁を開閉制御する制御器と、太陽電池で発電した電気を前記制御器及び前記電動弁の駆動用電力として蓄える蓄電池とを収納した蓄電型電動弁用制御盤の開口部を開閉する開閉扉の構造において、前記開口部の一側部に設けたヒンジによって前記開閉扉を開閉可能に支持し、該開閉扉の戸先側及び吊り元側のそれぞれに、閉じ状態の開閉扉を開口外周部との間に配置したパッキンを圧縮する方向に引き寄せる機能を備えた施錠装置を設けるとともに、前記ヒンジのヒンジ軸挿通孔を前記施錠装置の引き寄せ方向に長い形状に形成したことを特徴としている。
【０００８】
さらに、本発明の蓄電型電動弁用制御盤の扉構造における前記ヒンジは、前記開口部の端部に固着された固定側筒体と、前記開閉扉の端部に固着された回動側筒体と、前記固定側筒体及び前記回動側筒体にそれぞれ設けられたヒンジ軸挿通孔に挿通されるヒンジ軸とで形成され、前記固定側筒体に設けられたヒンジ軸挿通孔と前記回動側筒体に設けられたヒンジ軸挿通孔との少なくともいずれか一方のヒンジ軸挿通孔、例えば、前記回動側筒体に設けられたヒンジ軸挿通孔を前記施錠装置の引き寄せ方向に長い形状に形成したことを特徴としている。
【０００９】
また、前記蓄電型電動弁用制御盤は、内部の水蒸気を外部に排出し、外部から内部への水蒸気の移動を抑える結露防止器を備えていることを特徴としている。
【発明の効果】
【００１０】
本発明の蓄電型電動弁用制御盤の扉構造によれば、開閉扉の戸先側及び吊り元側のそれぞれに設けた引き寄せ機能付きの施錠装置で開閉扉を施錠する際に、開閉扉の吊り元側も、施錠装置の引き寄せ方向に長い形状としたヒンジ軸挿通孔内をヒンジ軸が移動することにより、戸先側と同様にパッキンを均一に圧縮することができる。これにより、パッキンが変形することもなくなり、開閉扉の密閉性を長期にわたって十分に確保することができ、内部への雨水や湿気の侵入を確実に防止できる。また、結露防止器を設けることにより、蓄電型電動弁用制御盤の内部が高湿度状態になることを確実に防止でき、制御器や蓄電池の電機部品を湿気（水蒸気）から保護することができる。
【図面の簡単な説明】
【００１１】
【図１】本発明の蓄電型電動弁用制御盤の扉構造を採用した蓄電型電動弁用制御盤の一形態例を示す正面図である。
【図２】同じく側面図である。
【図３】内部構造を省略した断面平面図である。
【図４】開閉扉に用いたヒンジを示す断面図である。
【図５】同じく分解斜視図である。
【図６】図４のVI−VI断面図である。
【図７】開閉扉を開いた状態のヒンジ部分を示す断面図である。
【図８】蓄電型電動弁用制御盤の設置例を示す説明図である。
【発明を実施するための形態】
【００１２】
まず、図８に示すように、蓄電型電動弁用制御盤１１は、給水タンクなどの給水源１２から使用先に給水する配管１３に設けられた電動弁１４の開閉を制御するためのものであって、蓄電型電動弁用制御盤１１の内部には、電動弁１４を開閉制御する制御器（図示せず）と、太陽電池１５で発電した電気を前記制御器及び前記電動弁１３の駆動用電力として蓄える蓄電池（図示せず）とが収納されている。
【００１３】
また、蓄電型電動弁用制御盤１１の底部に設けられた架台１１ａの内側に位置する制御盤底面には、電動弁１４及び太陽電池１５に接続される配線Ｗが貫通しており、さらに、制御盤内部の水蒸気を外部に排出し、外部から制御盤内部への水蒸気の移動を抑える結露防止器（図示せず）が設けられている。
【００１４】
このような蓄電型電動弁用制御盤１１は、前面に開口部１１ｂを設けた箱体からなるものであって、前面の開口部１１ｂには、制御盤内に収納した制御器の操作や点検などを行うための開閉扉２１が設けられている。この開閉扉２１は、開口部１１ｂの一側部に設けられたヒンジ２２によって開閉可能に吊持されており、開閉扉２１における戸先側２１ａ及び吊り元側２１ｂには、開閉扉２１を閉じたときに、開閉扉２１を開口部外周との間に無端状に配置したパッキン２３を圧縮する方向に引き寄せる機能を備えた施錠装置２４、例えば周知のバネ付パッチン錠がそれぞれ設けられている。
【００１５】
前記ヒンジ２２は、開口部１１ｂの端部外側面に取付片２５を介して固着された固定側筒体２６と、開閉扉２１の端部内側面に固着された上下一対の回動側筒体２７と、前記固定側筒体２６及び回動側筒体２７にそれぞれ設けられたヒンジ軸挿通孔２６ａ、２７ａに挿通されるヒンジ軸２８とで形成されており、固定側筒体２６の上下に回動側筒体２７を配置した状態でヒンジ軸挿通孔２６ａ，２７ａにヒンジ軸２８を挿通することにより、開閉扉２１が開口部１１ｂに対して開閉可能に取り付けられる。
【００１６】
固定側筒体２６に設けられたヒンジ軸挿通孔２６ａは、前記ヒンジ軸２８の外径に対応した内径を有する円形に形成されている。一方、前記回動側筒体２７に設けられたヒンジ軸挿通孔２７ａは、前記施錠装置２４の引き寄せ方向、すなわち、図６の矢印Ａで示す方向に長い形状、例えば長円形状に形成されており、閉じ位置にある開閉扉２１の吊り元部分を、開口部１１ｂに対して直線的に移動できるようにしている。
【００１７】
したがって、開閉扉２１を閉じて施錠装置２４を施錠する前は、開閉扉２１の内面がパッキン２３に軽く当接した状態になっており、この状態で施錠装置２４を施錠して開閉扉２１を開口部１１ｂ側に引き寄せると、吊り元側では、固定側筒体２６に保持されたヒンジ軸２８に対して回動側筒体２７が引き寄せ方向に直線的に移動し、戸先側も施錠装置２４に引き寄せられて直線的に移動することから、パッキン２３の全体に均一に開閉扉２１の内面を押し付けることができる。これにより、パッキン２３が均一に圧縮された状態になり、開閉扉２１と開口部１１ａとの密閉性が確保される。
【００１８】
このようにして開閉扉２１の密閉性を確保することにより、蓄電型電動弁用制御盤１１を屋外に設置しても、雨水や水蒸気が制御盤内に侵入することを防止でき、制御器や太陽電池を湿気から保護することができる。また、開閉扉２１の内面を凹形状に、開口部１１ｂの外面を凸形状に形成し、開閉扉２１の外周縁がパッキン２３を覆うようしているので、パッキン２３が太陽光（紫外線）で劣化することも防止できる。
【００１９】
さらに、蓄電型電動弁用制御盤１１の底部に結露防止器（図示せず）を設けておくことにより、制御盤内の湿度の上昇を抑えることができるので、水分による悪影響を回避して制御器や太陽電池を長期にわたって安定した状態に保つことができる。
【００２０】
なお、引き寄せ機能を備えた施錠装置の構造は任意であり、周知の引き寄せ機能付き施錠装置を用いることができる。また、開閉扉のロック機構も任意であり、南京錠や鎖状などの任意の構造を採用することができる。さらに、固定側筒体のヒンジ軸挿通孔を前記同様の長円形状に形成することもできる。
【符号の説明】
【００２１】
１１…蓄電型電動弁用制御盤、１１ａ…架台、１１ｂ…開口部、１２…給水源、１３…配管、１４…電動弁、１５…太陽電池、２１…開閉扉、２１ａ…戸先側、２１ｂ…吊り元側、２２…ヒンジ、２３…パッキン、２４…施錠装置、２５…取付片、２６…固定側筒体、２６ａ…ヒンジ軸挿通孔、２７…回動側筒体、２７ａ…ヒンジ軸挿通孔、２８…ヒンジ軸
【図１】
2013206938.tif 000003
【図２】
2013206938.tif 000004
【図３】
2013206938.tif 000005
【図４】
2013206938.tif 000006
【図５】
2013206938.tif 000007
【図６】
2013206938.tif 000008
【図７】
2013206938.tif 000009
【図８】
2013206938.tif 000010